(57)【要約】【課題】  複数の入力モード有する情報処理装置が、例えばノートモードなのかタブレットモードなのかを自動判定して、それぞれのモードに適したインターフェースをユーザが使用できる情報処理装置を提供することを目的とする。【解決手段】  タブレット１０９と一体に構成された画面表示部１０１と、タブレット１０９による入力モードか否かを判定するモード判定部１０５と、このモード判定部１０５の判定結果に基づいてユーザインターフェース切り替えるモード制御部１１３とを備えた情報処理装置。この構成により、コンバーチブル型の情報処理装置がノートモードなのかタブレットモードなのかを自動判定して、それぞれのモードに適したユーザインターフェースをユーザに提供することで、快適な操作性を実現することができる。【選択図】      図１
2008077688.tif 000002
【特許請求の範囲】
【請求項１】
タブレットと一体に構成された表示手段と、前記タブレットによる入力モードか否かを判定するモード判定手段と、前記モード判定手段の判定結果がタブレットによる入力モードである場合に、前記表示手段に表示される画面上のマウスカーソルを非表示にするモード制御手段とを具備したことを特徴とする情報処理装置。
【発明の詳細な説明】
【技術分野】
【０００１】
本発明は、開いた状態では通常のノートパソコンと同じキーボードやタッチパッドを使う形態（ノートモード）になり、折りたたんだ状態ではペンを使う形態（タブレットモード）となる２つ以上の入力モードを有するコンピュータや携帯情報端末、ワードプロセッサ等の情報処理装置に関する。
【背景技術】
【０００２】
従来の複数の入力モードを有する情報処理装置として、例えば、キーボードやマウスで入力するモード（ノートモード）とペンなどで筆跡を入力するモード（タブレットモード）等両方のモードを備えている。複数の入力モードを有する情報処理装置では、それぞれのモードで入力手段、使う向きなどが大きく異なる。例えばノートモードでは、通常のノートパソコンと同様にキーボードやタッチパッド等で正面から操作する場合が多い。一方、タブレットモードでは、ペンを使い、機器の好きな方向から使うようになっている。
【０００３】
このように、複数の入力モードを有する情報処理装置では、例えば、ノートモードとタブレットモードでユーザが使用する方向が違うことが多いということを考慮して、ユーザがノートモード、またはタブレットモードをそれぞれのモードに割り当てた向きにあわせて、ユーザが画面表示の方向や入力手段の方向を切り替えていた。（例えば、特許文献１を参照。）
【特許文献１】特開２００３−２９６０３３公報（［００１９］、図４）
【非特許文献１】「木マッチングによる英字署名識別に関する研究」、信学技報D-II,Vol.J75-D-II,No.1,pp.31-38,1992
【発明の開示】
【発明が解決しようとする課題】
【０００４】
ノートパソコンに代表されるような情報処理装置はキーボードとマウスでの仕様を前提としているため、複数の入力モードを有する情報処理装置においても、ノートモードのユーザインターフェースが採用されていることが多く、特にタブレットモードで、ユーザは不便を感じることが多い。
【０００５】
そのため、複数の入力モードを有する情報処理装置において、例えばノートモードとタブレットモードでは、ユーザが使用する画面表示の向きの他、入力手段が異なることが多く、ユーザ自身がモードを切り替えていた。更に、画面表示の方向の他にも、ノートモードとタブレットモードで同じ入力手段用いると、不便を感じることが多いといった問題があった。
【０００６】
本発明は、このような事情を考慮してなされたものであり、複数の入力モード有する情報処理装置が、例えばノートモードなのかタブレットモードなのかを自動判定して、それぞれのモードに適したインターフェースをユーザが使用できる情報処理装置を提供することを目的とする。
【課題を解決するための手段】
【０００７】
上述した目的を達成するために、本発明の情報処理装置は、タブレットと一体に構成された表示手段と、前記タブレットによる入力モードか否かを判定するモード判定手段と、前記モード判定手段の判定結果に基づいてユーザインターフェースを切り替えるモード制御手段とを具備したことを特徴とする。
【０００８】
また、タブレットと一体に構成された表示手段と、入力手段と、前記入力手段により入力される入力情報を制御する入力制御手段と、前記タブレットによる入力モードか否かを判定するモード判定手段と、前記モード判定手段の判定結果に応じて前記入力情報の受け付けるか否かを切り替えるモード制御手段とを具備したことを特徴とする。
【発明の効果】
【０００９】
本発明によれば、複数の入力モードを有する情報処理装置のモードに適したインターフェースをユーザに自動的に提供することが可能なため、ユーザの操作効率を向上させることができる。特に、ユーザが特別な操作をすることなく、タブレットモードで自動的に適切なインターフェースに切り替わるため、ユーザは快適に操作することが可能となる。
【発明を実施するための最良の形態】
【００１０】
以下に本発明の実施の形態について、図面を用いて詳細に説明する。
【００１１】
図１は、本発明の情報処理装置の構成を示すブロック図である。図１に示された情報処理装置は画面表示部１０１、画面制御部１０２、開閉スイッチ１０３、回転スイッチ１０４、モード判定部１０５、キーボード１０６、キーボード入力制御部１０７、タッチパッド１０８、タブレット１０９、マウス１１０、座標入力制御部１１１、パスワード認証部１１２、モード制御部１１３、サイン認証部１１４から構成される。
【００１２】
図２（ａ）は、例えばコンバーチブル型のノートパソコン等の情報処理装置のノートモード、図２（ｂ）はタブレットモード形態をそれぞれ示している。
【００１３】
開閉スイッチ１０３は、例えばコンバーチブル型の情報処理装置の開閉を検知するためのスイッチである。回転スイッチ１０４は、コンバーチブル型の情報処理装置の表示画面の開閉方向とは異なる回転を検知するためのスイッチである。画面制御部１０２は、マウスカーソル、ボタン、メニュー、スクロールバー等の画面表示部品を制御する。キーボード入力制御部１０７は、キーボード１０６からの入力を受け付けて、モード制御部１１３がキーボード１０６の受付を不可とした場合には、キーボード１０６からの入力を出力しない。座標入力制御部１１１は、マウス１１０、タブレット１０９、タッチパッド１０８からの座標入力を受け付けて、モード制御部１１３がマウス１１０、タブレット１０９、タッチパッド１０８のうちのどれかの受付を不可とした場合には、その入力を出力しない。
【００１４】
サイン認証部１１４は、サイン照合処理技術（例えば、非特許文献１を参照。）を用いて、ログオン時に入力されたサインとあらかじめ登録されたサインと間の類似度を調べ、本人のサインと判定した場合にはログオンを許可する。これに対してパスワード認証部は、ログオン時に入力されるパスワード（文字列）が、あらかじめ登録されているものと一致するか調べ、一致する場合にはログオンを許可する。
【００１５】
図３に示すように、この開閉スイッチ１０３及び回転スイッチ１０４の状態に基づいてモード判定部１０５にてタブレットモードか否かが判定される。ここでは、開閉スイッチ１０３が閉で、且つ回転スイッチ１０４が１８０度のときに、タブレットモードと判定するようになっている。
【００１６】
図４に、電源オフからタブレットモードまでのモードの切り替わりを示した。図４（ａ）は、画面表示部１０１がキーボード１０６、タッチパッド１０８と向かいあうように折りたたまれた電源オフの状態である。画面表示部１０１を開くと図４（ｂ）に示すようになり、ノートモードになる。更に、画面表示部１０１を開閉部分を軸として１８０度回転し（図４（ｃ））、画面とは反対面をキーボード１０６、タッチパッド１０８と向かいあうように閉めると図４（ｄ）に示すようにタブレットモードとなる。
【００１７】
図５は、ノートモードとタブレットモードでの、切り替え処理に関する一例を示したものである。画面に表示されるカーソルはノートモードでは通常のマウスカーソルが表示されるのに対し、タブレットモードでは視差や時間遅れが気にならないように非表示にしたり、例えば図６（ａ）に示したように通常のマウスカーソルとは異なる専用カーソルが表示される。画面に表示されるボタン、メニュー、スクロールバー等の表示部品は、タブレットモードでは通常のノートモードでの表示に比べ、拡大されて表示される。クリック操作に代表される操作形態は、ノートモードではダブルクリックであるのに対し、タブレットモードでは、主にタブレットによるペンでの入力であるので、シングルクリックにより操作する。
【００１８】
更に、画面上の軌跡表示について、ノートモードはマウス１１０で主に入力するので、図６（ｂ）に示したようにマウス１１０のドラッグによるカーソル移動を表示する。タブレットモードはペン入力による軌跡を図６（ｃ）に示したように線分で表示される。ノートモードでは、キーボード１０６、タッチパッド１０８による入力は受け付ける。しかし、タブレットモードではキーボード１０８、タッチパッド１０８による入力は受け付けない。逆に、ノートモードではペン入力（タブレット）は受け付けないのに対し、タブレットモードではペン入力による入力を受け付ける。
【００１９】
また、ノートモードからタブレットモードへのモード切替時には、タブレット関係ソフトを常駐させ、逆にノートモードへ切替させた場合にはソフトウェアを停止する。情報処理装置のログオン時は、ノートモードではパスワードによる認証処理を行い、タブレットモードでは、サイン入力による認証を行う。
【００２０】
このように、ノートモードでは、キーボード１０６、タッチパッド１０８とマウス１１０によって主に入力、操作を行う。タブレットモードでは、ペンで主に入力、操作を行う。そのため、モード制御部１１３は、モード判定部１０５の結果を受けて、それぞれの操作方法に適したユーザインターフェースを提供するために、それぞれのモードに適したユーザインターフェースに切り替える。
【００２１】
このため、上記構成により、ユーザが特別な操作をすることなく、タブレットモードで自動的に適切なインターフェースに切り替わるため、ユーザは快適に操作することが可能となる。
【図面の簡単な説明】
【００２２】
【図１】本発明の実施の形態に係る情報処理装置の構成を示すブロック図。
【図２】各モードの形態を示す図。
【図３】モード判定例を示す図。
【図４】モードの切り替わりを示す図。
【図５】ノートモードとタブレットモードの切替処理例を示す図。
【図６】画面上の筆跡表示例を示す図。
【符号の説明】
【００２３】
１０１・・・画面表示部
１０２・・・画面制御部
１０３・・・開閉スイッチ
１０４・・・モード判定部
１０５・・・回転スイッチ
１０６・・・キーボード
１０７・・・キーボード入力制御部
１０８・・・タッチパッド
１０９・・・タブレット
１１０・・・マウス
１１１・・・座標入力制御部
１１２・・・パスワード認証部
１１３・・・モード制御部
１１４・・・サイン認証部
【図１】
2008077688.tif 000003
【図２】
2008077688.tif 000004
【図３】
2008077688.tif 000005
【図４】
2008077688.tif 000006
【図５】
2008077688.tif 000007
【図６】
2008077688.tif 000008